(57)【特許請求の範囲】
【請求項１】
胴部の上端部から肩部（１ｃ）を介して隆起する容器（１）の口頸部（１ａ）外面に装着する容器の注ぎ出し用キャップ（２）において、該キャップ（２）は、外蓋（３）と内蓋（１１）とからなり、
前記内蓋（１１）は、
前記容器（１）の口頸部（１ａ）外面に、下半環状部（６）を介して嵌合装着した筒状本体部（４）と、
該筒状本体部（４）の上面に形成され、プルトップ部（１６）を除去することで形成される注ぎ口（１９）の周囲を囲むように突設した環状起立片（１７）と、該環状起立片（１７）の周囲を囲むように設けられた上半環状部（７）と、
下面に前記環状起立片（１７）に嵌合する環状垂下片（１８）及び該環状垂下片（１８）周を囲むように設けられ、前記上半環状部（７）と嵌合する環状周片部（１１ｂ）を備え、前記筒状本体部（４）上を覆う円形の頂部（１１ｃ）を備え、筒状本体部（４）の上端部の一部とヒンジ（１２）を介して連結され、前記注ぎ口（１９）を開閉する内蓋であり、
前記内蓋（１１）の円形の頂部（１１ｃ）、環状垂下片（１８）、環状周片部（１１ｂ）、ヒンジ（１２）、前記筒状本体部（４）の上半環状部（７）、下半環状部（６）、環状起立片（１７）、プルトップ部（１６）、プルトップ部（１６）を隔壁（５）から除去することで形成される注ぎ口（１９）は、各部一体に形成されており、
前記外蓋（３）は、前記筒状本体部に着脱自在に被せる外蓋である、
ことを特徴とする容器の注ぎ出し用キャップ。
【請求項２】
前記外蓋（３）の下面には、前記内蓋の上面に当接する押し片（１０）を垂下、突設したことを特徴とする請求項１に記載の容器の注ぎ出し用キャップ。
【請求項３】
前記筒状本体部（４）上を開閉する内蓋（１１）の一部には係合部（１３）を、また筒状本体部（４）の一部は該係合部（１３）と係合する係合部（１４）を設けたことを特徴とする請求項１に記載の容器の注ぎ出し用キャップ。
【請求項４】
前記筒状本体部（４）の前記環状起立片（１７）の内周部には環状の係合凹部（２０）を、前記内蓋（１１）の環状垂下片（１８）の外周部には該係合凹部（２０）と係合する環状の係合凸部（２１）を設けたことを特徴とする請求項１に記載の容器の注ぎ出し用キャップ。
【請求項５】
前記筒状本体部（４）の前記環状起立片（１７）の内周部には、係合凹部（１２１）を、前記内蓋（１１）の環状垂下片（１８）の外周部には該係合凹部（１２１）と係合する係合凸部（１２０）を設けたことを特徴とする請求項１に記載の容器の注ぎ出し用キャップ。
【請求項６】
前記筒状本体部（４）と内蓋（１１）とを開閉自在に繋ぐヒンジ部（１２）内には、内蓋（１１）を閉蓋方向に付勢するバネ（２２）を内装したことを特徴とする請求項１〜請求項５いずれか１項に記載の容器の注ぎ出し用キャップ。
【請求項７】
前記筒状本体部（４）と内蓋（１１）とを開閉自在に繋ぐヒンジ部（１２）は、両側のヒンジ部（２３）と、該ヒンジ部間に設けた付勢ヒンジ部（２４）とで構成したことを特徴とする請求項１〜請求項６のいずれか１項に記載の容器の注ぎ出し用キャップ。
【請求項８】
前記内蓋（１１）の外周には引っ掛け部（１１ｄ）を設け、外蓋（３）の内周には、外蓋（３）の筒状本体部からの抜き出し時に該引っ掛け部（１１ｄ）と係合する係合部を設けたことを特徴とする請求項１〜請求項７のいずれか１項に記載の容器の注ぎ出し用キャップ。
【発明の詳細な説明】
【０００１】
【発明の属する技術分野】
本発明は、振り混ぜ容器に装着する注ぎ出し用キャップに関する。
【０００２】
【従来の技術】
容器を振って液体内の沈殿素材を攪拌して混ぜ合わせる液体として、例えば、サラダドレッシングが知られている。
一例として、サラダドレッシングでは、サラダドレッシング内にはサラダオイル、香辛料等の微小な固形成分、油成分と分離する酢等の水分等からなる調味料等とを含み、固形成分は沈殿し、又水分は分離した状態で容器内で積層状態となって存在し、使用に当っては容器を振り、内部のサラダオイルと固形成分、水分等を混ぜ合わせる必要がある。
容器の注ぎ出し用キャップとして、従来、実開平０７−００６１６１号公報、特開２０００−２０３６１９号公報等が開示されている。
【０００３】
以上の従来のキャップは、何れも容器本体の口頸部にキャップ本体部を装着し、本体部を外蓋で開閉自在に覆い、外蓋は本体部に被せ、開閉は外蓋を本体部に対して回転させて行なうようにネジ結合したり、或いは凹凸係合で抜き出し、押圧等で着脱自在としたプル、プッシュ式としたりしており、本体部の閉塞頂部には引き上げることで注ぎ口を開口するプルトップとしている。
【０００４】
【発明が解決しようとする課題】
ところで、液体を注ぐ場合には、外蓋を容器の口頸部のキャップ本体から外し、プルトップを開口して注ぎ口を開口した後、容器を振って内部に収容したサラダオイル等の液体を攪拌する必要がある。
この攪拌に際し、容器を振ることで収容した液体が注ぎ口から飛散することから、キャップの本体部に外蓋を被せ、ネジ式のものであれば外蓋をネジ回転させて結合を確実化し、又プル、プッシュ式では手で外蓋を押えつつ容器を振って液体を攪拌しないと、注ぎ口から液体が飛散してしまう、という不都合がある。
【０００５】
以上のように振り混ぜ容器のキャップにおいては、外蓋を閉蓋した状態で振って液体を攪拌するので、外蓋の内頂面に液体が付着し、振って攪拌した後、外蓋を外して注ぎ口を露出して注ぐものであるが、液体が付着した外蓋は裸で放置されることとなる。
液体がサラダドレッシング等のように食品である場合、外蓋に付着した液体にゴミが付着したりし、不衛生である。そして、ゴミ等が付着した外蓋で容器を閉蓋し、使用時には再度振って攪拌させるため、不衛生なゴミ等が容器内の液体内に混入する。従って、この点においても不衛生である。
又食卓上において外蓋を下向きに放置した場合、液体が食卓上に付着して汚れ、サラダドレッシング等では油成分なので汚れの掃除が面倒である等の不都合もある。
【０００６】
本発明の目的とする処は、振り混ぜ容器において、キャップの外蓋がサラダドレッシング等の液体を振って攪拌した際、液体が外蓋の頂部に付着することがなく、又外蓋を外した状態で、液体が注ぎ口から外部に飛散させることなく、容器を振って収容した液体を攪拌させることを可能とした容器の注ぎ出し用キャップを提供する。
又本発明は、内蓋で開口した注ぎ口を閉塞した際、手で内蓋を押えることなく容器を振って液体を攪拌可能とし、又外蓋を外した際、内蓋を外蓋の開放と連動して注ぎ口から外し、注ぎ口を開口可能とした容器の注ぎ出し用キャップを提供することをも目的とする。
【０００７】
【課題を解決するための手段】
上記課題を解決するために請求項１は、胴部の上端部から肩部（１ｃ）を介して隆起する容器（１）の口頸部（１ａ）外面に装着する容器の注ぎ出し用キャップ（２）において、該キャップ（２）は、外蓋（３）と内蓋（１１）とからなり、内蓋（１１）は、容器（１）の口頸部（１ａ）外面に、下半環状部（６）を介して嵌合装着した筒状本体部（４）と、該筒状本体部（４）の上面に形成され、プルトップ部（１６）を除去することで形成される注ぎ口（１９）の周囲を囲むように突設した環状起立片（１７）と、該環状起立片（１７）の周囲を囲むように設けられた上半環状部（７）と、下面に前記環状起立片（１７）に嵌合する環状垂下片（１８）及び該環状垂下片（１８）周を囲むように設けられ、上半環状部（７）と嵌合する環状周片部（１１ｂ）を備え、筒状本体部（４）上を覆う円形の頂部（１１ｃ）を備え、筒状本体部（４）の上端部の一部とヒンジ（１２）を介して連結され、注ぎ口（１９）を開閉する内蓋であり、内蓋（１１）の円形の頂部（１１ｃ）、環状垂下片（１８）、環状周片部（１１ｂ）、ヒンジ（１２）、筒状本体部（４）の上半環状部（７）、下半環状部（６）、環状起立片（１７）、プルトップ部（１６）、プルトップ部（１６）を隔壁（５）から除去することで形成される注ぎ口（１９）は、各部一体に形成されており、外蓋（３）は、筒状本体部に着脱自在に被せる外蓋であることを特徴とする。
【０００８】
請求項１では、キャップの外蓋を筒状本体部に被冠した状態で容器を振って攪拌させる必要がなく、外蓋に液体が付着することがなく、外蓋を筒状本体部から外し、プルトップ式の注ぎ口が開口していても、開口周辺部の環状起立片と本体にヒンジ結合された内蓋の環状垂下片とが嵌合しているので、振ることで注ぎ口から飛散しようとする液体は内蓋で飛散を阻止される。
【０００９】
請求項２は、請求項１において、外蓋（３）の下面には、前記内蓋の上面に当接する押し片（１０）を垂下、突設したことを特徴とする。
外蓋を閉蓋した状態で、閉蓋状態にある内蓋の上面に押し片が当接するので、内蓋の閉蓋状態を確実に維持することができる。
【００１０】
請求項３は、請求項１において、筒状本体部（４）上を開閉する内蓋（１１）の一部には係合部（１３）を、また筒状本体部（４）の一部は該係合部（１３）と係合する係合部（１４）を設けたことを特徴とする。
請求項３では、内蓋の一部に設けた係合部と、内蓋で閉蓋される注ぎ口を有する筒状本体部に設けた係合部が、内蓋の閉蓋時に係合し、内蓋の注ぎ口の閉蓋状態を保持するので、外蓋を外した状態で内蓋を開蓋しなければ、容器を振っても、収容した液体（サラダドレッシング等）は注ぎ口から飛出して飛散することがない。
【００１１】
請求項４は、請求項１において、筒状本体部（４）の環状起立片（１７）の内周部には環状の係合凹部（２０）を、内蓋（１１）の環状垂下片（１８）の外周部には該係合凹部（２０）と係合する環状の係合凸部（２１）を設けたことを特徴とする。
請求項４では、筒状本体部の環状起立片の内周部には設けた環状の係合凹部と、内蓋の環状垂下片の外周部に設けた環状の係合凸部とが内蓋の閉蓋時に係合するので、環状の凸部と凹部とが係合し、内蓋の注ぎ口の閉蓋状態を保持し、外蓋を外した状態で内蓋を開蓋しなければ、容器を振っても、収容した液体（サラダドレッシング等）は注ぎ口から飛散することがない。
【００１２】
請求項５は、請求項１において、筒状本体部（４）の前記環状起立片（１７）の内周部には、係合凹部（１２１）を、前記内蓋（１１）の環状垂下片（１８）の外周部には該係合凹部（１２１）と係合する係合凸部（１２０）を設けたことを特徴とする。
筒状本体部の環状起立片の内周部に設けた係合凹部と、内蓋の環状垂下片の外周部に設けた係合凸部とが内蓋の閉蓋時に係合するので、凸部と凹部とが係合し、内蓋の注ぎ口の閉蓋状態を保持し、外蓋を外した状態で内蓋を開蓋しなければ、容器を振っても、収容した液体は注ぎ口から飛出して飛散することがない。
【００１３】
請求項６は、請求項１〜請求項５のいずれかにおいて、筒状本体部（４）と内蓋（１１）とを開閉自在に繋ぐヒンジ部（１２）内には、内蓋（１１）を閉蓋方向に付勢するバネ（２２）を内装したことを特徴とする。
請求項６では、筒状本体部と内蓋とがヒンジ部を内装したバネにより、閉蓋方向に付勢されているので、内蓋は閉蓋方向に常時段発されており、容器側の筒状本体部に対し、ヒンジ結合された内蓋が確実に閉蓋状態を保持する。
【００１４】
請求項７は、請求項１〜請求項６のいずれかにおいて、筒状本体部（４）と内蓋（１１）とを開閉自在に繋ぐヒンジ部（１２）は、両側のヒンジ部（２３）と、該ヒンジ部間に設けた付勢ヒンジ部（２４）とで構成したことを特徴とする。
請求項７では、ヒンジ部間に設けた付勢ヒンジ部で開蓋時の開放保持、閉蓋時の節度ある閉塞付勢を行なうので、容器側の筒状本体部に対し、ヒンジ結合された内蓋が確実に閉蓋状態、開蓋状態を保持する。
【００１５】
請求項８は請求項１〜請求項７のいずれかにおいて、内蓋（１１）の外周には引っ掛け部（１１ｄ）を設け、外蓋（３）の内周には、外蓋（３）の筒状本体部からの抜き出し時に該引っ掛け部（１１ｄ）と係合する係合部を設けたことを特徴とする。
請求項８では、容器のキャップを開閉する外蓋を外した際、内蓋の外周部の引っ掛け部が外蓋の係合部と係合し、外蓋の開蓋時に内蓋が連動して自動的に開蓋する。
【００１６】
【発明の実施の形態】
本発明の実施の形態を添付図に基づいて以下に説明する。なお、図面は符号の向きに見るものとする。
図１は、注ぎ出し用キャップで閉蓋した状態の容器の外観斜視図、図２は図１の２−２線断面図、図３は図１の３−３線断面図である。これ等の図に基づいて説明する。
図において１は容器を示し、実施の形態では下部が大径で、中間部〜上部の胴部が下部よりも小径の円筒状の容器で合成樹脂製の容器で、収容されている液体はサラダドレッシングであり、上端部を注ぎ出し用キャップ２で塞ぎ、収容されているサラダドレッシングを振り混ぜ、分離していたり、沈殿していたりする香辛料等を攪拌して油成分と均一に混合し、注ぎ出し用キャップの外蓋を外して注ぎ口を開放し、サラダドレッシングを野菜等にかけるものである。
【００１７】
図２及び図３に基づいて本発明に係る注ぎ出し用キャップを説明すると、容器１の上方部には肩部１ｃを経て小径の口頸部１ａが上方に突設されており、該頸部１ａにキャップ２が取り付けられており、キャップ２は外蓋３と筒状本体部４とからなる。
筒状本体部４は、軸方向に長さを有する環状で断面Ｈ形をなし、高さ方向の中間部に隔壁５を備え、下半環状部６には上方に潜り、下向きに開放した環状溝６ａを備える。環状溝６ａの下方の外周には環状フランジ部６ｂを備え、環状溝６ａの下方の内周部でフランジ部６ｂの内周部には横向きの環状溝６ｃを備える。
【００１８】
容器１の頸部１ａには下半部周に環状の凸部１ｂを備え、筒状本体部４の下半環状部６の環状溝６ａ下方から頸部１ａの上半部を挿入して差込み、嵌合し、上から圧入することで、横向きの環状溝６ｃに、頸部１ａの下半部周に設けた環状の凸部１ｂを係合し、これにより筒状本体部４を容器１の頸部１ａに固着する。
筒状本体部４の下半環状部６及び隔壁５上方の上半環状部７の外周には、上下方向に間隔を開けて（軸方向に間隔を開けて）環状係合凸部８…（…は複数を表す。以下同じ）を設ける。
【００１９】
以上の筒状本体部４を上から被冠する外蓋３は環状の周片部３ａ及び内頂部３ｂを備え、中間部〜下部の内周にかけて前記環状係合凸部８…と係合する環状係合凸部９…を備える。
又外蓋３の内頂部３ｂには、環状押え凸部１０を備える。外蓋３は筒状本体部４の外周部に嵌合し、相互の環状凸部８…、９…を介して閉蓋状態を保持するように係合し、外蓋３の周片部３ａの下端部３ｃは筒状本体部４の最大径部であるフランジ部６ｂの上面に閉蓋状態で当接する。又内頂部３ｂに設けた環状押え凸部１０は後述する内蓋の上面を閉蓋状態で上から押える。
【００２０】
隔壁５の上部には、下半環状部６と連続して一体に上半環状部７が連続して一体に上方に起立するように設けられている。上半環状部７の外径は下半環状部６の同径であり、内径は下半環状部６よりも大きい。上半環状部７は上方に開放されており、上半環状部７上には内蓋１１が開閉自在に設けられている。
内蓋１１は、上半環状部７の環状の上端部７ａに環状周片部１１ｂの下端部１１ａが上から重なって上半環状部７の上方を閉蓋するように構成され、環状周片部１１ｂの上端部には円形の頂部１１ｃを一体に備える。
【００２１】
内蓋１１は環状周片部１１ｂの後端部と、前記上半環状部７の上端部７ａの後端部とをヒンジ１２で連結し、該ヒンジ１２を介して内蓋１１は開閉自在である。
図７で示した内蓋の開放状態の斜視図で理解し易く示したように、内蓋１１の頂部１１ｃの内頂部の後部には二股状の節度脚１３，１３を、又上半環状部７の後部内側にはこれと対応する二股状のベース部１４，１４を設け、内蓋の開蓋状態において、節度脚１３，１３の下部内側に設けた凸部１３ａがベース部１４，１４に設けた凹部１４ａと係合し、開蓋状態における節度感をもたせ、又この角度での開蓋状態を保持する。
【００２２】
筒状本体４の高さ方向の中間部に設けた隔壁５の中央部には、環状の切込み等からなる脆弱部１５から引張ることで容易に破断可能なプルトップ部１６を設け、プルトップ部１６上には輪環状の摘み部１６ａを備え、摘み部１６ａを指で摘んで上方に引張ることで、プルトップ部１６は脆弱部１５から剥がれ、脆弱部１５の部分が開口し、注ぎ口を形成する。
【００２３】
上記した隔壁５上には、前記したプルトップ部１６を囲むように環状起立片１７を一体に起設し、一方、内蓋１１の頂部１１ｃの下面には、該環状起立片１７と嵌合する環状垂下片１８を一体に垂下突設する。実施の形態では、隔壁５上に起設した環状起立片１７は、上から閉蓋する内蓋１１の環状垂下片１８の嵌合をガイドして容易化するため、上部を若干拡開するテーパー状とした。
尚、内蓋１１の環状周片部１１ｂの外周部の適所には、複数の引っ掛け部１１ｄ…を設け、該引っ掛け部１１ｄ…は、外蓋３の開蓋時において、外蓋３の環状の周片部３ａの内周部に設けた凸部９の最上部のものと係合し、外蓋３の開蓋と連動して内蓋１１を開放する。
又図２、図３で示したように、外蓋３の内頂部３ｂの環状押え凸部１０は、内蓋１１の頂部１１ｃ上から閉蓋時に該内蓋１１を押える。
【００２４】
図２、図３はプルトップ部１６を除去していない状態を示し、以下に開蓋状態及びプルトップ部１６を除去し、注ぎ口を開口した状態を説明する。
図４は、開蓋状態及びプルトップを除去した状態の図３と同様の縦断面図である。
先ず外蓋３を筒状本体４から引く抜き、開蓋する。外蓋３は上方への引き抜きで凸部９の一部が内蓋１１の引っ掛け部１１ｄに係合し、内蓋１１をヒンジ１２を支点として図の右方向に揺動させ、内蓋１１の環状垂下片１８が隔壁５上の環状起立片１７から上方に抜き出される。
【００２５】
爾後、摘み部１６ａを摘んで上方に引っ張り、プルトップ部１６を隔壁５から除去し、これにより隔壁５の環状起立片１７の内側には注ぎ口１９が開口させることとなる。この状態を図４で示した。
ところで、前記した二股状の節度脚１３，１３の凸部１３ａが、二股状のベース部１４，１４の凹部１４ａと係合し、内蓋１１の開蓋状態における節度感をもたせ、又内蓋１１をこの角度において開蓋状態を保持する。
【００２６】
図５は、外蓋３を開蓋し、内蓋１１を閉蓋した状態を示す図３と同様の断面図、図６は図５の６−６線断面図である。
図において、例えば閉蓋状態にある内蓋１１の頂部１１ｃ上を指で押え、容器１を振る。これにより収容したサラダドレッシング等の液体Ｌは上下に振られ、攪拌され、混ぜ合わせられる。この際、液体Ｌは上方に飛び跳ね、内蓋１１の内頂部１１ｅに衝突し、内頂部１１ｅは飛び跳ね、衝突した液体Ｌで汚れる。
外蓋３は既に外されており、内蓋１１が注ぎ口１９を閉蓋して閉塞しているので、容器１を振って液体を攪拌、混合しても液体は外部に飛出すことがなく、又内蓋１１の内頂部１１ｅに液体は付着する。
液体を注ぐ場合には、内蓋１１を図４、図７に示しようにヒンジ１２を支点として揺動させることで開蓋し、注ぎ口１９は開口され、液体を注ぎ口１９を介して注ぐ。
【００２７】
以上においては、従来にように外蓋３の内頂部が液体で汚れることがなく、これを清浄に保って衛生的であり、内蓋１１の内頂部１１ｅに液体は付着するが、内蓋は筒状本体４にヒンジ結合して開閉自在であり、筒状本体４から分離することがないので、内頂部１１ｅが液体で汚れた内蓋１１はキャップ本体を構成する部分から分離しないので、液体により周囲が汚れたり、液体の周囲への付着等を防止する。又内蓋１１の内頂部１１ｅに付着した液体は、内蓋内頂部１１ｅの環状垂下片１８内に閉じ込められ、液体の飛散を防止し、又隔壁５上の注ぎ口１９を囲む環状起立片１７により、注ぎ口１９から周囲への液体の飛散は防止される。
【００２８】
図８は、本発明の他の実施の形態を示す図５と同様の縦断側面図、図９は、同実施の形態の内蓋を開蓋した状態の斜視図である。基本構造は前述の実施の形態と同様なので、同一部分には同一符号を付し、詳細な説明は省略する。
内蓋１１の環状垂下片１８の外周の下端部に環状の係合凸部２１を設け、一方、筒状本体４の隔壁５上に設けた環状起立片１７の内周部下部に、該係合凸部２１と係合する環状の係合凹部２０を設けた。
【００２９】
内蓋１１の閉蓋状態において、内蓋１１の内頂部に設けた環状垂下片１８は隔壁５上の環状起立片１７内に液密的に嵌合するが、この内蓋１１による閉蓋状態において、環状垂下片１８の凸部２１が環状起立片１７の凹部と係合し、閉蓋状態を保持する。
従って、内蓋１１の閉蓋状態は、環状の凹凸部２０，２１の係合で保持され、係合は凹凸部２０，２１が環状であることから、内外径の円周方向全周にわたることとなり、強固、確実になされる。このため、容器１を上下に振って攪拌、混合作業を行なった際、凹凸係合で内蓋の閉蓋状態は保持され、図８の閉蓋状態で指で内蓋１１の頂部を押えることなく容器１を振っても、内蓋が外れることがない。
従って、容器１を振って容器内の液体を攪拌、混合する作業に際し、内蓋１１を指で押える必要がないので便利である。
【００３０】
図１０は、本発明の更なる他の実施の形態を示す図５、図８と同様の縦断側面図、図１１は、同実施の形態の内蓋を開蓋した状態の斜視図である。基本構造は前述の実施の形態と同様なので、同一部分には同一符号を付し、詳細な説明は省略する。
内蓋１１の環状垂下片１８の外周の下端部に、円周方向に離間して複数の係合凸部１２１…を設け、一方、筒状本体４の隔壁５上に設けた環状起立片１７の内周部下部に、該係合凸部１２１と係合する環状の係合凹部１２０を設けた。
【００３１】
内蓋１１の閉蓋状態において、内蓋１１の内頂部に設けた環状垂下片１８は隔壁５上の環状起立片１７内に緊密に嵌合するが、この内蓋１１による閉蓋状態において、環状垂下片１８の凸部１２１…が環状起立片１７の凹部１２０の一部と係合し、閉蓋状態を保持する。
従って、内蓋１１の閉蓋状態は、凹凸部１２０，１２１の係合で保持される。このため、容器１を上下に振って攪拌、混合作業を行なった際、凹凸係合で内蓋の閉蓋状態は保持され、図８の閉蓋状態で指で内蓋１１の頂部を押えることなく容器１を振っても、内蓋が外れることがない。
従って、容器１を振って容器内の液体を攪拌、混合する作業に際し、内蓋１１を指で押える必要がないので便利である。
【００３２】
図１２は、外蓋と筒状本体部の係合の他の実施の形態を示す図４と同様の断面図である。基本構造は前述の実施の形態と同様なので、同一部分には同一符号を付し、詳細な説明は省略する。
外蓋３の環状の周片部３ａ内周部に設けた係合凸部１０９を螺旋状とし、一方、筒状本体４の外周に設けた係合凸部１０８を同様に螺旋状とし、外蓋３を筒状本体４にネジ係合で閉蓋するようにしたものである。従って、外蓋３を開蓋する際は、外蓋３を回転させて筒状本体部４から取り外す。
【００３３】
図１３は、前記した節度脚を設けない実施の形態を示す図５と同様に縦断側面図である。基本構造は前述の実施の形態と同様なので、同一部分には同一符号を付し、詳細な説明は省略する。
図で明示したように、ヒンジ１２の手前側に設けられる節度脚及びベース部を備えない。内蓋１１は、開蓋した状態における所定角度での節度脚及びベース部による開蓋保持作用を果たさないので、内蓋を９０°以上開放した状態とするか、全閉状態とするか、の何れかの状態となる。
【００３４】
図１４は、ヒンジの他の実施の形態を示す要部の縦断面図である。
内蓋１１と筒状本体部４の上半環状部７との間を繋ぐヒンジ１２を次のように構成する。
ヒンジ１２内にバネ２２を内装設置し、バネ２２でヒンジ１２に閉蓋方向の弾発力を付与し、内蓋１１を閉蓋方向に付勢する。バネとしては、板バネを埋装したり、或いは線状のバネ材を埋装してもよく、バネは任意である。
これにより、指で内蓋１１を開き、液体を注出後、指を離すことで内蓋は付勢力で閉蓋することとなり、便利である。
【００３５】
図１５は、ヒンジの更なる他の実施の形態を示す斜視図、図１６は、図１５の１６−１６線断面図で、（ａ ）は内蓋の閉蓋状態の図、（ｂ）は内蓋の開蓋状態の図、図１７は図１５の１７−１７線断面図で、（ａ ）は内蓋の閉蓋状態の図、（ｂ）は内蓋の開蓋状態の図である。
【００３６】
図は外蓋３を取り外し、内蓋１１を含む筒状本体部４を示した図であり、ヒンジ以外は前述の実施の形態と同様なので、同一部分には同一符号を付し、詳細な説明は省略する。
図１５に示すように、内蓋１１の後端部と筒状本体部４の上半環状部７の後端部との間に設けられるヒンジは、左右２個の断面山形のヒンジ部２３，２３と、この間の中間部に配設した１個の断面弧状のヒンジ部２４とで構成する。
図１６、図１７に示したようにヒンジ部２３，２３と２４とは、屈曲中心部の位相を前後にズラせる。
これにより、図１６、図１７の各（ａ）に示した内蓋１１の閉蓋状態において弧状ヒンジ部２４の閉止弾力で閉蓋状態を保持し、一方、図１６、図１７の各（ｂ）に示した内蓋１１の１８０°に近い開蓋状態においては、双方２３，２３，２４の屈曲部が互いに突っ張り、開蓋状態を保持することができる。
【００３７】
【発明の効果】
本発明は上記構成により次の効果を発揮する。
請求項１は、胴部の上端部から肩部（１ｃ）を介して隆起する容器（１）の口頸部（１ａ）外面に装着する容器の注ぎ出し用キャップ（２）において、該キャップ（２）は、外蓋（３）と内蓋（１１）とからなり、内蓋（１１）は、容器（１）の口頸部（１ａ）外面に、下半環状部（６）を介して嵌合装着した筒状本体部（４）と、該筒状本体部（４）の上面に形成され、プルトップ部（１６）を除去することで形成される注ぎ口（１９）の周囲を囲むように突設した環状起立片（１７）と、該環状起立片（１７）の周囲を囲むように設けられた上半環状部（７）と、下面に前記環状起立片（１７）に嵌合する環状垂下片（１８）及び該環状垂下片（１８）周を囲むように設けられ、上半環状部（７）と嵌合する環状周片部（１１ｂ）を備え、筒状本体部（４）上を覆う円形の頂部（１１ｃ）を備え、筒状本体部（４）の上端部の一部とヒンジ（１２）を介して連結され、注ぎ口（１９）を開閉する内蓋であり、内蓋（１１）の円形の頂部（１１ｃ）、環状垂下片（１８）、環状周片部（１１ｂ）、ヒンジ（１２）、筒状本体部（４）の上半環状部（７）、下半環状部（６）、環状起立片（１７）、プルトップ部（１６）、プルトップ部（１６）を隔壁（５）から除去することで形成される注ぎ口（１９）は、各部一体に形成されており、外蓋（３）は、筒状本体部に着脱自在に被せる外蓋とで構成した。
【００３８】
請求項１では、外蓋を筒状本体部から外し、プルトップ式の注ぎ口が開口していても、開口周辺部の環状起立片と筒状本体部にヒンジ結合された内蓋の環状垂下片とが嵌合し、内蓋が注ぎ口を上から閉塞することとなる。
従って、容器を上下等に振って、サラダドレッシングの如く液体内の素材を攪拌させる必要がある場合においても、内蓋が注ぎ口を上から閉塞しており、注ぎ口から容器内の液体は周囲に飛散することがなく、液体は内蓋で飛散を阻止される。
【００３９】
以上のように、外蓋を外した状態で容器を振っても、周囲に攪拌液体を飛散するのを防止することができる結果、これにより従来のように外蓋のみで注ぎ口を閉塞しているのと異なり、外蓋に液体が付着することで不衛生となったりすることがなく、又外蓋を外して食卓上に放置することで周囲が汚れたり、周囲の汚染を防止し得る衛生的な容器の注ぎ出し用キャップを得ることができる。
又以上を、筒状本体部の注ぎ口周に環状起立片を設け、これと閉蓋時に嵌合する環状垂下片を該筒状本体部にヒンジ結合した内蓋を設けるだけなので、構成が簡単である。
尚、環状起立片と環状垂下片とを液密的に嵌合させると、液体の内蓋外への飛散を完全に防止することができるので、好ましい。
【００４０】
請求項２は、請求項１において、外蓋（３）の下面には、前記内蓋の上面に当接する押し片（１０）を垂下、突設した。
【００４１】
請求項２では、請求項１の効果に加えるに、外蓋を閉蓋した状態で、閉蓋状態にある内蓋の上面に押し片が当接する。従って、内蓋の閉蓋状態で、内蓋は閉蓋状態の外蓋で下方にを押し下げられ、内蓋の閉蓋状態を確実に維持することができる。
又外蓋を閉蓋するだけで自動的に内蓋の押し下げがなされ、以上を外蓋の下面（内頂面）に押し片を垂下、突設するだけなので構造が簡素であり、又外蓋成形時に押し片を一体成形すれば良く、製作も容易である。
【００４２】
請求項３は、請求項１において、筒状本体部（４）上を開閉する内蓋（１１）の一部には係合部（１３）を、また筒状本体部（４）の一部は該係合部（１３）と係合する係合部（１４）を設けた。
【００４３】
請求項３では、請求項１の効果に加えるに、内蓋の一部に設けた係合部と、内蓋で閉蓋される注ぎ口を有する筒状本体部に設けた係合部が、内蓋の閉蓋時に係合する。この結果、筒状本体部と内蓋とは係合して一体化することとなり、内蓋で筒状本体部に設けた注ぎ口の閉蓋状態を内蓋で保持することとなる。従って、外蓋を外した状態で内蓋を開蓋しなければ、内蓋で注ぎ口の閉蓋状態を保持し、容器を振っても、容器内に収容した液体（サラダドレッシング等）は、注ぎ口から飛出して飛散することがない。これにより、外蓋を除去した状態で、外蓋を汚すことなく、容器を振って、液体の飛散を招くことなく液体を攪拌することができ、素材相互が分離したり、沈殿したりするサラダドレッシングの振り混ぜ、攪拌容器の注ぎ出し用キャップとして優れたものが得られる。
【００４４】
請求項４は、請求項１において、筒状本体部（４）の環状起立片（１８）の内周部には環状の係合凹部（２０）を、内蓋（１１）の環状垂下片（１８）の外周部には該係合凹部（２０）と係合する環状の係合凸部（２１）を設けた。
【００４５】
請求項４では、請求項１の効果に加えるに、筒状本体部の環状起立片の内周部には設けた環状の係合凹部と、内蓋の環状垂下片の外周部に設けた環状の係合凸部とが内蓋の閉蓋時に係合する。従って、外蓋を外した状態で内蓋を開蓋しなければ、環状の凸部と凹部とが係合して内蓋の注ぎ口の閉蓋状態を保持し、外蓋を外した状態で内蓋を開蓋しなければ、容器を振っても、収容した液体（サラダドレッシング等）は注ぎ口から飛散することがない。
これにより、外蓋を除去した状態で、外蓋を汚すことなく、容器を振って、液体の飛散を招くことなく液体を攪拌することができ、素材相互が分離したり、沈殿したりするサラダドレッシングの振り混ぜ、攪拌容器の注ぎ出し用キャップとして優れたものが得られる。
【００４６】
又筒状本体部の環状起立片の内周部には設けた環状の係合凹部と、内蓋の環状垂下片の外周部に設けた環状の係合凸部とが内蓋の閉蓋時に係合させるので、凹凸係合部の係合面積が全域にわたることとなり、内蓋の筒状本体部への閉蓋時の係合は強固、確実で、又高度のシール性も得られる。
従って、ドレッシング等を振ったりした際の万一にも内蓋の外れ等を防止することができ、振り、攪拌時における液体の飛散防止機能に高い容器の注ぎ出し用キャップが得られる。
更に筒状本体部の環状起立片の内周部、内蓋の環状垂下片の外周部に夫々形状に倣った環状の凹凸を設けるので、凹凸係合部の形成が容易であり、簡素な構造、安価に飛散防止効果に優れた振り混ぜ、攪拌容器を得ることができる。
【００４７】
請求項５は、請求項１において、筒状本体部（４）の前記環状起立片（１７）の内周部には、係合凹部（１２１）を、前記内蓋（１１）の環状垂下片（１８）の外周部には該係合凹部（１２１）と係合する係合凸部（１２０）を設けた。
【００４８】
請求項５では請求項１の効果に加えるに、筒状本体部の環状起立片の内周部には設けた係合凹部と、内蓋の環状垂下片の外周部に設けた係合凸部とが内蓋の閉蓋時に係合するので、環状の凸部と凹部とが係合し、内蓋の注ぎ口の閉蓋状態を保持し、外蓋を外した状態で内蓋を開蓋しなければ、容器を振っても、収容した液体は注ぎ口から飛散することがない。
又筒状本体部の環状起立片の内周部、内蓋の環状垂下片の外周部に複数の凹凸を設けるので、凹凸係合部の形成が容易であり、簡素な構造、安価に飛散防止効果に優れた振り混ぜ、攪拌容器を得ることができる。
【００４９】
請求項６は、請求項１〜請求項５のいずれかにおいて、筒状本体部（４）と内蓋（１１）とを開閉自在に繋ぐヒンジ部（１２）内には、内蓋（１１）を閉蓋方向に付勢するバネ（２２）を内装した。
【００５０】
請求項６では、請求項１〜請求項６のいずれかの効果の加えるに、筒状本体部と内蓋とがヒンジ部に内装したバネにより、閉蓋方向に付勢されており、内蓋は閉蓋方向に常時段発され、容器側の筒状本体部に対し、ヒンジ結合された内蓋が確実に閉蓋状態を保持する。
又ヒンジ部が内装したバネで補強され、内蓋の筒状本体部への連結が耐久性をもって行なうことができ、又ヒンジ部が補強される。
【００５１】
請求項７は、請求項１〜請求項６のいずれかにおいて、筒状本体部（４）と内蓋（１１）とを開閉自在に繋ぐヒンジ部（１２）は、両側のヒンジ部（２３）と、該ヒンジ部間に設けた付勢ヒンジ部（２４）とで構成した。
【００５２】
請求項７では、請求項１〜請求項６のいずれかの効果に加えるに、ヒンジ部間に設けた付勢ヒンジ部で開蓋時の開放保持、閉蓋時の節度ある閉塞付勢を行なうので、容器側の筒状本体部に対し、ヒンジ結合された内蓋が確実に閉蓋状態、開蓋状態を保持する。
又３個のヒンジを、左右のものを開閉用、中央部のものを節度をもたせるように位相をズラせて設ければよく、構造が簡素である。
【００５３】
請求項８は、請求項１〜請求項７のいずれかにおいて、内蓋（１１）の外周には引っ掛け部（１１ｄ）を設け、外蓋（３）の内周には、外蓋（３）の筒状本体部からの抜き出し時に該引っ掛け部（１１ｄ）と係合する係合部を設けた。
【００５４】
請求項８では、請求項１〜請求項７のいずれかの効果に加えるに、容器のキャップを開閉する外蓋を外した際、内蓋の外周部の引っ掛け部が外蓋の係合部と係合し、外蓋の開蓋時に内蓋が連動して自動的に開蓋する。
従って、収容した振り混ぜ、攪拌する液体の飛散防止用の内蓋を備えつつ、外蓋による閉蓋状態のまま容器を振って液内を攪拌し、外蓋の内頂部に液体が付着することなく、衛生的な状態下で内蓋が外蓋と連動して開蓋し、衛生的な外蓋の開蓋、内蓋が連動する内蓋の開蓋、容器に収容したサラダドレッシング等をサラダにかける等の作業を行なうことができる。
又以上を、内蓋の外周に係止部を設け、外蓋の内周に係合部を設けるだけなので、構造が簡単で、成形も容易である。
【図面の簡単な説明】
【図１】注ぎ出し用キャップで閉蓋した状態の容器の外観斜視図
【図２】図１の２−２線断面図
【図３】図１の３−３線断面図
【図４】開蓋状態及びプルトップを除去した状態の図３と同様の縦断面図
【図５】外蓋を開蓋し、内蓋を閉蓋した状態を示す図３と同様の断面図
【図６】図５の６−６線断面図
【図７】内蓋の開放状態の斜視図
【図８】本発明の他の実施の形態を示す図５と同様の縦断側面図
【図９】同実施の形態の内蓋を開蓋した状態の斜視図
【図１０】本発明の更なる他の実施の形態を示す図５、図８と同様の縦断側面図
【図１１】同実施の形態の内蓋を開蓋した状態の斜視図
【図１２】外蓋と筒状本体部の係合の他の実施の形態を示す図４と同様の断面図である。
【図１３】節度脚を設けない実施の形態を示す図５と同様に縦断側面図
【図１４】ヒンジの他の実施の形態を示す要部の縦断面図
【図１５】ヒンジの更なる他の実施の形態を示す斜視図
【図１６】図１５の１６−１６線断面図で、（ａ ）は内蓋の閉蓋状態の図、（ｂ）は内蓋の開蓋状態の図
【図１７】図１５の１７−１７線断面図で、（ａ ）は内蓋の閉蓋状態の図、（ｂ）は内蓋の開蓋状態の図
【符号の説明】
１…容器、  １ａ…口頸部、  １ｃ…肩部、  ２…キャップ、  ３…外蓋、  ４…筒状本体部、  １０…押し片、  １１…内蓋体、  １１ｂ…環状周片部、  １２…ヒンジ、  １３ａ，１４ａ…係合部、  １７…環状起立片、  １８…環状垂下片、  １９…注ぎ口、  ２０，１２０…係合凹部、  ２１，１２１…係合凸部、  ２２…バネ、  １３，２３…ヒンジ部、  ２４…付勢ヒンジ部。
【図１】
0004240440.tif 000002
【図２】
0004240440.tif 000003
【図３】
0004240440.tif 000004
【図４】
0004240440.tif 000005
【図５】
0004240440.tif 000006
【図６】
0004240440.tif 000007
【図７】
0004240440.tif 000008
【図８】
0004240440.tif 000009
【図９】
0004240440.tif 000010
【図１０】
0004240440.tif 000011
【図１１】
0004240440.tif 000012
【図１２】
0004240440.tif 000013
【図１３】
0004240440.tif 000014
【図１４】
0004240440.tif 000015
【図１５】
0004240440.tif 000016
【図１６】
0004240440.tif 000017
【図１７】
0004240440.tif 000018